(57)【要約】【課題】  大型の袋として使用する状態と、袋を折り畳んだ状態以外の他の状態を提供でき、特に、被収納物が小さい場合にも十分対応することができる手提げ袋を提供する。【解決手段】  手提げ袋Ａは、第１袋部１０と、第２袋部３０と、被覆布部６０と、ファスナー部７０とを有し、ファスナー部７０は、被覆布部６０に設けられたファスナー構成部８０と、第１袋部１０の側面に設けられたファスナー構成部９０とを有している。被覆布部６０とファスナー構成部８０とで被覆部８９が構成される。大型袋として使用する場合には、被覆部８９と第１袋部１０間に第２袋部３０を収納し、一方、小型袋として使用する場合には、被覆部８９と第２袋部３０間に第１袋部１０を折り畳んで収納する。【選択図】        図６
0003117150.tif 000002
【実用新案登録請求の範囲】
【請求項１】
手提げ袋であって、
上部が開口した袋状を呈する第１袋部本体と、第１袋部本体に設けられた一対の手提げ部と、を有する第１袋部と、
第１袋部本体の側面に設けられたカバー部材で、カバー部材の縁部の一部が、カバー部材が第１袋部本体に対して回動可能なように、第１袋部本体に固定されたカバー部材と、
上部が開口した袋状を呈する第２袋部本体で、第１袋部本体よりも小さく形成された第２袋部本体と、第２袋部本体に設けられた一対の手提げ部と、を有する第２袋部と、
カバー部材と第１袋部本体の間の空間に第２袋部を配置した状態で、カバー部材を第１袋部本体側に着脱自在に固定するとともに、カバー部材と第２袋部本体の間の空間に第１袋部を折り畳んで配置した状態で、カバー部材を第２袋部本体の背面側に着脱自在に固定する固定手段と、
を有することを特徴とする手提げ袋。
【請求項２】
上記固定手段が、ファスナー部であり、該ファスナー部が、互いにかみ合う一対のエレメントのうちの一方のエレメントを有する第１ファスナー構成部と、他方のエレメントを有する第２ファスナー構成部とを有し、第１ファスナー構成部がカバー部材に設けられ、第２ファスナー構成部が第１袋部本体に設けられ、第１ファスナー構成部と第２ファスナー構成部のいずれかにスライダーが設けられていることを特徴とする請求項１に記載の手提げ袋。
【請求項３】
手提げ袋であって、
上部が開口した袋状を呈する第１袋部本体と、第１袋部本体に設けられた一対の手提げ部と、を有する第１袋部と、
第１袋部本体の側面に設けられたカバー部材で、カバー部材の縁部の一部が、カバー部材が第１袋部本体に対して回動可能なように、第１袋部本体に固定されたカバー部材と、
上部が開口した袋状を呈する第２袋部本体で、第１袋部本体よりも小さく形成された第２袋部本体と、第２袋部本体に設けられた一対の手提げ部と、を有する第２袋部と、
カバー部材を開閉するためのファスナー部で、互いにかみ合う一対のエレメントのうちの一方のエレメントを有する第１ファスナー構成部と、他方のエレメントを有する第２ファスナー構成部とを有し、第１ファスナー構成部が、カバー部材の第１袋部本体に固定されていない縁部に設けられ、第２ファスナー構成部が第１袋部本体に設けられ、第１ファスナー構成部と第２ファスナー構成部のいずれかにスライダーが設けられたファスナー部と、
を有し、
第２袋部本体の背面側は、第２ファスナー構成部のエレメントの内側に納まるように、第１袋部本体及び／又は第２ファスナー構成部に固定され、
カバー部材と第１袋部本体の間の空間に第２袋部を収納してファスナーを閉じることができ、カバー部材と第２袋部本体の間の空間に第１袋部を折り畳んで収納してファスナーを閉じることができることを特徴とする手提げ袋。
【請求項４】
第１ファスナー構成部は、エレメントが設けられたファスナーテープを有し、第２ファスナー構成部は、エレメントが設けられたファスナーテープを有していることを特徴とする請求項３に記載の手提げ袋。
【請求項５】
第２ファスナー構成部におけるエレメントが逆Ｕ字状となるように、第２ファスナー構成部が第１袋部本体に設けられ、カバー部材の第１袋部本体への固定部分は、第２袋部本体の背面側の下端に固定されていて、ファスナー部を閉じた状態とした場合には、カバー部材は、第１袋部本体や第２袋部本体との固定部分を下にして上側を向いた状態となることを特徴とする請求項３又は４に記載の手提げ袋。
【請求項６】
手提げ袋であって、
上部が開口した袋状を呈する第１袋部本体と、第１袋部本体に設けられた一対の手提げ部と、を有する第１袋部と、
第１袋部本体の側面に設けられたカバー部材で、カバー部材の縁部の一部が、カバー部材が第１袋部本体に対して回動可能なように、第１袋部本体に固定されたカバー部材と、
上部が開口した袋状を呈する第２袋部本体で、第１袋部本体よりも小さく形成された第２袋部本体と、第２袋部本体に設けられた一対の手提げ部と、を有する第２袋部と、
カバー部材を開閉するためのファスナー部で、互いにかみ合う一対のエレメントのうちの一方のエレメントと該一方のエレメントが設けられたファスナーテープとを有する第１ファスナー構成部と、他方のエレメントと該他方のエレメントが設けられたファスナーテープとを有する第２ファスナー構成部とを有し、第１ファスナー構成部が、カバー部材の第１袋部本体に固定されていない縁部に設けられ、第２ファスナー構成部が、エレメントが逆Ｕ字状を呈するように第１袋部本体に設けられ、第２ファスナー構成部にスライダーが設けられたファスナー部と、
を有し、
カバー部材の第１袋部本体への固定部分は、第２袋部本体の背面側の下端にも固定され、
第２袋部本体の背面側は、第２ファスナー構成部のエレメントの内側に納まるように、第１袋部本体及び／又は第２ファスナー構成部に固定され、
カバー部材と第１袋部本体の間の空間に第２袋部を収納してファスナーを閉じることができ、カバー部材と第２袋部本体の間の空間に第１袋部を折り畳んで収納してファスナーを閉じることができることを特徴とする手提げ袋。
【請求項７】
第２袋部本体の背面側は、上辺と左右の辺部に沿って、第２ファスナー構成部と第１袋部本体とともに一体に縫着されており、下辺に沿って、カバー部材と第１袋部本体とともに一体に縫着されていることを特徴とする請求項５又は６に記載の手提げ袋。
【請求項８】
ファスナー部に設けられたスライダーは、エレメントに沿って摺動する胴部と、胴部の表側に設けられた第１の引手と、胴部の裏側に設けられた第２の引手とを有することを特徴とする請求項２又は３又は４又は５又は６又は７に記載の手提げ袋。
【考案の詳細な説明】
【技術分野】
【０００１】
本考案は、手提げ袋に関するものであり、特に、布製の手提げ袋に関するものである。
【背景技術】
【０００２】
従来より、布製の手提げ袋が存在する。この手提げ袋においては、特許文献１〜特許文献３に示すように、不使用時に折り畳むことができるものが存在する。
【特許文献１】特開平８−１９１７０７号公報
【特許文献２】特開２００２−１０８１７号公報
【特許文献３】特開２００３−１２５８２６号公報
【考案の開示】
【考案が解決しようとする課題】
【０００３】
しかし、上記特許文献１〜３に記載の袋においては、袋を折り畳んだ状態として持ち運びが容易とすることができるものの、大型の袋として使用する状態と、袋を折り畳んだ状態の２つの状態のみであり、他の状態を提供できず、特に、被収納物が小さい場合に十分対応できないという問題があった。
【０００４】
そこで、本考案は、大型の袋として使用する状態と、袋を折り畳んだ状態以外の他の状態を提供でき、特に、被収納物が小さい場合にも十分対応することができる手提げ袋を提供することを目的とするものである。
【課題を解決するための手段】
【０００５】
本考案は上記問題点を解決するために創作されたものであって、第１には、手提げ袋であって、上部が開口した袋状を呈する第１袋部本体と、第１袋部本体に設けられた一対の手提げ部と、を有する第１袋部と、第１袋部本体の側面に設けられたカバー部材で、カバー部材の縁部の一部が、カバー部材が第１袋部本体に対して回動可能なように、第１袋部本体に固定されたカバー部材と、上部が開口した袋状を呈する第２袋部本体で、第１袋部本体よりも小さく形成された第２袋部本体と、第２袋部本体に設けられた一対の手提げ部と、を有する第２袋部と、カバー部材と第１袋部本体の間の空間に第２袋部を配置した状態で、カバー部材を第１袋部本体側に着脱自在に固定するとともに、カバー部材と第２袋部本体の間の空間に第１袋部を折り畳んで配置した状態で、カバー部材を第２袋部本体の背面側に着脱自在に固定する固定手段と、を有することを特徴とする。
【０００６】
この第１の構成の手提げ袋においては、大型袋として使用する場合には、第２袋部をカバー部材と第１袋部本体の間の空間に第２袋部を配置した状態で、固定手段によりカバー部材を第１本体部側に固定させることにより、第２袋部を収納して、第１袋部を袋として使用する。一方、小型袋として使用する場合には、第１袋部をカバー部材と第２袋部本体の間の空間に折り畳んで配置した状態で、固定手段によりカバー部材を第２袋部本体の背面側に固定させることにより、第１袋部を収納して、第２袋部を袋として使用する。よって、大型袋と小型袋の２つの大きさの袋を提供でき、特に、第１袋部を折り畳んだ状態でも、小型袋の状態とすることができ、よって、大型の袋として使用する状態と、袋を折り畳んだ状態以外の他の状態（つまり、小型袋の状態）を提供でき、被収納物が小さい場合にも十分対応することができる。また、使用しない袋部をカバー部材により収納した状態にできるので、使用しない袋部が邪魔になることがない。
【０００７】
また、第２には、上記第１の構成において、上記固定手段が、ファスナー部であり、該ファスナー部が、互いにかみ合う一対のエレメントのうちの一方のエレメントを有する第１ファスナー構成部と、他方のエレメントを有する第２ファスナー構成部とを有し、第１ファスナー構成部がカバー部材に設けられ、第２ファスナー構成部が第１袋部本体に設けられ、第１ファスナー構成部と第２ファスナー構成部のいずれかにスライダーが設けられていることを特徴とする。
【０００８】
また、第３には、手提げ袋であって、上部が開口した袋状を呈する第１袋部本体と、第１袋部本体に設けられた一対の手提げ部と、を有する第１袋部と、第１袋部本体の側面に設けられたカバー部材で、カバー部材の縁部の一部が、カバー部材が第１袋部本体に対して回動可能なように、第１袋部本体に固定されたカバー部材と、上部が開口した袋状を呈する第２袋部本体で、第１袋部本体よりも小さく形成された第２袋部本体と、第２袋部本体に設けられた一対の手提げ部と、を有する第２袋部と、カバー部材を開閉するためのファスナー部で、互いにかみ合う一対のエレメントのうちの一方のエレメントを有する第１ファスナー構成部と、他方のエレメントを有する第２ファスナー構成部とを有し、第１ファスナー構成部が、カバー部材の第１袋部本体に固定されていない縁部に設けられ、第２ファスナー構成部が第１袋部本体に設けられ、第１ファスナー構成部と第２ファスナー構成部のいずれかにスライダーが設けられたファスナー部と、を有し、第２袋部本体の背面側は、第２ファスナー構成部のエレメントの内側に納まるように、第１袋部本体及び／又は第２ファスナー構成部に固定され、カバー部材と第１袋部本体の間の空間に第２袋部を収納してファスナーを閉じることができ、カバー部材と第２袋部本体の間の空間に第１袋部を折り畳んで収納してファスナーを閉じることができることを特徴とする。
【０００９】
この第３の構成の手提げ袋においては、大型袋として使用する場合には、カバー部材と第１袋部本体の間の空間に第２袋部を収納してファスナーを閉じることにより、第２袋部を収納して、第１袋部を袋として使用する。一方、小型袋として使用する場合には、カバー部材と第２袋部本体の間の空間に第１袋部を折り畳んで収納してファスナーを閉じることにより、第１袋部を収納して、第２袋部を袋として使用する。よって、大型袋と小型袋の２つの大きさの袋を提供でき、特に、第１袋部を折り畳んだ状態でも、小型袋の状態とすることができ、よって、大型の袋として使用する状態と、袋を折り畳んだ状態以外の他の状態（つまり、小型袋の状態）を提供でき、被収納物が小さい場合にも十分対応することができる。また、ファスナーを閉じることにより、使用しない袋部を収納できるので、使用しない袋部が邪魔になることがない。
【００１０】
また、第４には、上記第３の構成において、第１ファスナー構成部は、エレメントが設けられたファスナーテープを有し、第２ファスナー構成部は、エレメントが設けられたファスナーテープを有していることを特徴とする。
【００１１】
また、第５には、上記第３又は第４の構成において、第２ファスナー構成部におけるエレメントが逆Ｕ字状となるように、第２ファスナー構成部が第１袋部本体に設けられ、カバー部材の第１袋部本体への固定部分は、第２袋部本体の背面側の下端に固定されていて、ファスナー部を閉じた状態とした場合には、カバー部材は、第１袋部本体や第２袋部本体との固定部分を下にして上側を向いた状態となることを特徴とする。
【００１２】
また、第６には、手提げ袋であって、上部が開口した袋状を呈する第１袋部本体と、第１袋部本体に設けられた一対の手提げ部と、を有する第１袋部と、第１袋部本体の側面に設けられたカバー部材で、カバー部材の縁部の一部が、カバー部材が第１袋部本体に対して回動可能なように、第１袋部本体に固定されたカバー部材と、上部が開口した袋状を呈する第２袋部本体で、第１袋部本体よりも小さく形成された第２袋部本体と、第２袋部本体に設けられた一対の手提げ部と、を有する第２袋部と、カバー部材を開閉するためのファスナー部で、互いにかみ合う一対のエレメントのうちの一方のエレメントと該一方のエレメントが設けられたファスナーテープとを有する第１ファスナー構成部と、他方のエレメントと該他方のエレメントが設けられたファスナーテープとを有する第２ファスナー構成部とを有し、第１ファスナー構成部が、カバー部材の第１袋部本体に固定されていない縁部に設けられ、第２ファスナー構成部が、エレメントが逆Ｕ字状を呈するように第１袋部本体に設けられ、第２ファスナー構成部にスライダーが設けられたファスナー部と、を有し、カバー部材の第１袋部本体への固定部分は、第２袋部本体の背面側の下端にも固定され、第２袋部本体の背面側は、第２ファスナー構成部のエレメントの内側に納まるように、第１袋部本体及び／又は第２ファスナー構成部に固定され、カバー部材と第１袋部本体の間の空間に第２袋部を収納してファスナーを閉じることができ、カバー部材と第２袋部本体の間の空間に第１袋部を折り畳んで収納してファスナーを閉じることができることを特徴とする。
【００１３】
この第６の構成の手提げ袋においては、大型袋として使用する場合には、カバー部材と第１袋部本体の間の空間に第２袋部を収納してファスナーを閉じることにより、第２袋部を収納して、第１袋部を袋として使用する。一方、小型袋として使用する場合には、カバー部材と第２袋部本体の間の空間に第１袋部を折り畳んで収納してファスナーを閉じることにより、第１袋部を収納して、第２袋部を袋として使用する。よって、大型袋と小型袋の２つの大きさの袋を提供でき、特に、第１袋部を折り畳んだ状態でも、小型袋の状態とすることができ、よって、大型の袋として使用する状態と、袋を折り畳んだ状態以外の他の状態（つまり、小型袋の状態）を提供でき、被収納物が小さい場合にも十分対応することができる。また、ファスナーを閉じることにより、使用しない袋部を収納できるので、使用しない袋部が邪魔になることがない。
【００１４】
また、第７には、上記第５又は第６の構成において、第２袋部本体の背面側は、上辺と左右の辺部に沿って、第２ファスナー構成部と第１袋部本体とともに一体に縫着されており、下辺に沿って、カバー部材と第１袋部本体とともに一体に縫着されていることを特徴とする。
【００１５】
また、第８には、上記第２から第７までのいずれかの構成において、ファスナー部に設けられたスライダーは、エレメントに沿って摺動する胴部と、胴部の表側に設けられた第１の引手と、胴部の裏側に設けられた第２の引手とを有することを特徴とする。これにより、一方の引手がファスナーの内側に入る場合でも、他方の引手を用いることができるので、スライダーの摺動を容易に行うことができる。
【００１６】
なお、上記の各構成において、第１袋部や第２袋部やカバー部材は、布製であるとするのが好ましい。
【考案の効果】
【００１７】
本考案に基づく手提げ袋によれば、大型袋と小型袋の２つの大きさの袋を提供でき、特に、第１袋部を折り畳んだ状態でも、小型袋の状態とすることができ、よって、大型の袋として使用する状態と、袋を折り畳んだ状態以外の他の状態（つまり、小型袋の状態）を提供でき、被収納物が小さい場合にも十分対応することができる。また、使用しない袋部をカバー部材により収納した状態にできるので、使用しない袋部が邪魔になることがない。
【考案を実施するための最良の形態】
【００１８】
本考案においては、大型の袋として使用する状態と、袋を折り畳んだ状態以外の他の状態を提供でき、特に、被収納物が小さい場合にも十分対応することができる手提げ袋を提供するという目的を以下のようにして実現した。
【００１９】
本考案に基づく手提げ袋Ａは、図１〜図６に示すように構成され、第１袋部１０と、第２袋部３０と、被覆布部（カバー部材）６０と、ファスナー部（固定手段）７０とを有している。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２０】
ここで、第１袋部１０は、第１袋部本体１２と、手提げ部２０、２２とを有している。この第１袋部本体１２は、上部が開口した袋状を呈し、第１側面部１４と、第２側面部１６と、底面部１８とを有している。
【００２１】
第１側面部１４と第２側面部１６とは方形状のシート状を呈し、第１側面部１４と第２側面部１６とは、互いに両側で縫着され、この第１側面部１４と第２側面部１６とで筒状に形成されている。底面部１８は、全体に方形状のシート状を呈し、第１側面部１４の下端から連設された、長方形状の底面構成部１８ａ（第１側面部１４と底面構成部１８ａとは１枚の布部材により構成されている）と第２側面部１６の下端から連設された、長方形状の底面構成部１８ｂ（第２側面部１６と底面構成部１８ｂとは１枚の布部材により構成されている）とを互いに縫着することにより、２つの底面構成部１８ａ、１８ｂにより底面部１８が構成される。
【００２２】
また、手提げ部２０は、帯状の布により構成され、その両端部を第１側面部１４の上端に縫着することにより第１側面部１４の上端に固定されている。また、手提げ部２２は、帯状の布により構成され、その両端部を第２側面部１６の上端に縫着することにより第２側面部１６の上端に固定されている。
【００２３】
第１袋部１０は、上記のように構成されており、布製の手提げ袋であり、通常の手提げ袋と同様の構成をしているといえる。
【００２４】
また、第２袋部３０は、第２袋部本体３２と、手提げ部５０、５２とを有している。この第２袋部本体３２は、上部が開口した袋状を呈し、正面部３４と、背面部３６と、側面部３８と、側面部４０と、底面部４２とを有している。
【００２５】
正面部３４は、長方形状のシート状を呈し、布部材により形成され、背面部３６も長方形状のシート状を呈し、布部材により形成されている。正面部３４と背面部３６とは、同一の大きさに形成されている。また、側面部３８と側面部４０とは、長方形状のシート状を呈し、また、底面部４２は、長方形状のシート状を呈している。側面部３８と側面部４０とは同一の大きさに形成されている。側面部３８と側面部４０と底面部４２とは、１つの布部材により形成されている。正面部３４の一方の側端部と側面部３８の一方の側端部とが縫着されて接続され、また、正面部３４の他方の側端部と側面部４０の一方の側端部とが縫着されて接続され、また、側面部３８の他方の側端部と背面部３６の一方の側端部とが縫着されて接続され、さらに、側面部４０の他方の側端部と背面部３６の他方の側端部とが縫着されて接続されて、全体に筒状を呈している。また、正面部３４の下端部と底面部４２の手前側の端部とが縫着されて接続され、また、背面部３６の下端部と底面部４２の奥側の端部とが縫着されて接続されている。以上のようにして、第２袋部本体３２は、上部が開口した袋状を呈している。
【００２６】
また、手提げ部５０は、帯状の布により構成され、その両端部を正面部３４の上端に縫着することにより正面部３４の上端に固定されている。また、手提げ部５２は、帯状の布により構成され、その両端部を背面部３６の上端に縫着することにより背面部３６の上端に固定されている。
【００２７】
第２袋部３０は、上記のように構成されており、布製の手提げ袋であり、通常の手提げ袋と同様の構成をしているといえる。
【００２８】
なお、第２袋部３０は、第１袋部１０よりも小さく構成され、特に、第２袋部３０における正面部３４や背面部３６の大きさは、第１袋部１０における第１側面部１４よりも小さく形成されていて、図８に示すように、第２袋部３０の正面部３４の横幅α２は、第１袋部１０を平面状にした状態における横幅（第１側面部１４の横幅としてもよい）α１よりも小さく、また、第２袋部３０の正面部３４の縦幅β２は、第１袋部１０を平面状にした状態における縦幅（第１側面部１４の縦幅としてもよい）β１よりも小さく形成されている。なお、第２袋部３０における正面部３４や背面部３６の横幅は、第１袋部１０の底面部１８の横幅（Ｘ１−Ｘ２方向の幅（図６参照））よりも小さく形成されていて、これにより、第２袋部３０における正面部３４や背面部３６は、第１袋部１０を袋状にした場合の正面部の横幅（この正面部の横幅は、底面部１８の横幅と同一といえる）よりも小さく形成されている。
【００２９】
次に、被覆布部６０は、略方形状を呈し、２枚の布部材により形成されている。つまり、第１被覆布部６２と第２被覆布部６４とを重ねた状態で構成されている。なお、第１被覆布部６２と第２被覆布部６４とは同一形状を呈し、長方形状の２つの角部にアールを形成した形状を呈している。つまり、第１被覆布部６２を例に取ると、アール部６２ａとアール部６２ｂが形成されている。このようにアール部を形成することにより、ファスナー部７０におけるスライダー９６を摺動しやすくすることができる。
【００３０】
なお、第１被覆布部６２と第２被覆布部６４とは、３方の辺部においては、ファスナー構成部８０のファスナーテープ８２を第１被覆布部６２と第２被覆布部６４とで挟んだ状態で第１被覆布部６２と第２被覆布部６４の３方の周囲を縫着することにより、第１被覆布部６２と第２被覆布部６４も一体に形成されている。
【００３１】
この被覆布部６０は、第２袋部３０の正面部３４や背面部３６と略同様の大きさに形成され、第２袋部３０や第１袋部１０を所定の方法により収納することができるような大きさに形成されている。すなわち、被覆布部６０を第２袋部３０に対して被せることにより第２袋部３０を覆うことができ、その状態で、ファスナー部７０を閉じることによって第２袋部３０を特に折り曲げることなく被覆布部６０と第１袋部１０の第１側面部１４により挟まれた空間内に収納することができる。また、この被覆布部６０は、第１袋部１０を折り畳んだ後に被覆布部６０を被せてファスナー部７０を閉じることによって、被覆布部６０と第２袋部３０の背面部３６により挟まれた空間内に収納することができる。
【００３２】
次に、ファスナー部７０は、ファスナー構成部（第１ファスナー構成部）８０と、ファスナー構成部（第２ファスナー構成部）９０とを有していて、このファスナー構成部８０とファスナー構成部９０とによりファスナー部７０が構成される。
【００３３】
ファスナー構成部８０は、ファスナーテープ８２と、エレメント８４と、蝶棒８６とを有している。このファスナーテープ８２は、帯状の布部材であり（帯状の他の部材により構成してもよい）、被覆布部６０に縫着された状態ではＵ字状を呈する。また、エレメント８４は、ファスナーのかみ合う部分を形成する部材であり、ファスナーテープ８２の辺部に沿って設けられている。また、蝶棒８６は、エレメント８４の端部位置に設けられ、ファスナー部７０を閉じる際にスライダー９６の胴部９８に挿入して使用する。このファスナー構成部８０の形成に当たっては、帯状のファスナーテープ８２にエレメント８４と蝶棒８６とが形成された部材を形成し、該部材におけるファスナーテープ８２のエレメント８４が形成されていない側を第１被覆布部６２と第２被覆布部６４とで挟んだ状態として、第１被覆布部６２と第２被覆布部６４の３方の周囲に沿って、第１被覆布部６２と第２被覆布部６４とファスナーテープ８２とを一体に縫着することにより形成される。
【００３４】
なお、被覆布部６０とファスナー構成部８０とによって、被覆部８９が構成される。つまり、被覆布部６０にファスナー構成部８０が設けられた部材が被覆部８９となる。
【００３５】
また、ファスナー構成部９０は、ファスナーテープ９２と、エレメント９４と、スライダー９６とを有している。このファスナーテープ９２は、帯状の布部材であり（帯状の他の部材により構成してもよい）、第１袋部１０の第１側面部１４に縫着された状態ではＵ字状を呈する。また、エレメント９４は、ファスナーのかみ合う部分を形成する部材であり、ファスナーテープ９２の辺部に沿って設けられている。また、スライダー９６は、胴部９８と引手１００、１０２とを有していて、胴部９８がエレメント９４に摺動可能に設けられている。また、引手１００は胴部９８の表側に設けられ、引手１０２が胴部９８の裏側に設けられている。これは、第１袋部１０を収納する場合と第２袋部３０とを収納する場合を使い分けるためであり、第１袋部１０を収納する場合には、引手１００が使用され、第２袋部３０を収納する場合には、引手１０２が使用される。また、通常のファスナーと同様に、エレメント９４の端部位置、すなわち、蝶棒８６に対応する端部位置には、ファスナー使用時に蝶棒８６を収納するための箱体が設けられている。このファスナー構成部９０は、第１袋部１０の第１側面部１４に縫着して固定される。
【００３６】
なお、このファスナー構成部９０は、第１側面部１４に縫着された状態では、逆Ｕ字状を呈するが、その大きさは、第２袋部３０の背面部３６の外周が、エレメント９４の内側で、ファスナーテープ９２の内側の端部９２ａよりも外側になるような大きさとなっている。
【００３７】
上記構成の第１袋部１０と、第２袋部３０と、被覆部８９と、ファスナー構成部９０の組立て状態を説明すると、図６に示すように、被覆部８９の上端部（つまり、エレメント８４が設けられていない側の端部）を第２袋部３０の背面部３６の下端部と重ねた状態とし、さらに、第２袋部３０の背面部３６の背面側にファスナー構成部９０を位置させて、第２袋部３０と被覆部８９とファスナー構成部９０とを重ねた状態として、第１袋部１０の第１側面部１４の外側の略中央に配置し、第２袋部３０の外周に沿って縫着して、第２袋部３０と被覆部８９とファスナー構成部９０と第１袋部１０とを一体に縫着する。つまり、方形状に縫着部が形成されることになるが、背面部３６の上辺に沿った横方向の縫着部と、左右の縦方向の辺部に沿った縫着部とは、第２袋部３０の背面部３６と、ファスナー構成部９０（具体的には、ファスナーテープ９２）と、第１袋部１０の第１側面部１４とを縫着しており、また、背面部３６の下辺に沿った横方向の縫着部は、第２袋部３０の背面部３６と、被覆部８９（特に、被覆布部６０）と、第１袋部１０の第１側面部１４とを縫着していることになる。つまり、第２袋部本体３２の背面側である背面部３６は、上辺と左右の辺部に沿って、ファスナー構成部９０と第１袋部本体１２とともに一体に縫着されており、下辺に沿って、被覆布部（カバー部材）６０と第１袋部本体１２とともに一体に縫着されているといえる。
【００３８】
これにより、被覆部８９は、第１袋部本体１２に固定されているとともに、第２袋部本体３２の背面部３６の下端にも固定され、その固定部分は横方向を向いている。また、被覆部８９は、横方向の回動中心を中心に回動し、上下方向に回動することになる。
【００３９】
なお、上記のように、第２袋部３０の背面部３６の上側と左右の両側においては、背面部３６と、ファスナー構成部９０と、第１側面部１４とを一体に縫着しているので、背面部３６は、ファスナー構成部９０に固定されているといえるが、この背面部３６を第１側面部１４に直接縫着して第１側面部１４に固定させてもよいし、背面部３６をファスナー構成部９０に縫着して背面部３６をファスナー構成部９０に固定させるとともに、背面部３６を第１側面部１４に縫着して背面部３６を第１側面部１４に固定させるようにしてもよい。
【００４０】
また、第２袋部３０の背面部３６の下側においては、背面部３６と、被覆部８９（特に、被覆布部６０）と、第１側面部１４とを一体に縫着しているので、背面部３６は、被覆部８９（特に、被覆布部６０）に固定されているといえるが、この背面部３６を第１側面部１４に直接縫着して第１側面部１４に固定させてもよいし、背面部３６を被覆部８９（特に、被覆布部６０）に縫着して背面部３６を被覆部８９（特に、被覆布部６０）に固定させるとともに、背面部３６を第１側面部１４に縫着して背面部３６を第１側面部１４に固定させるようにしてもよい。
【００４１】
次に、上記構成の手提げ袋Ａの使用状態について説明する。手提げ袋Ａを大型袋として使用する場合には、被覆布部６０と第１袋部１０の第１側面部１４により挟まれた空間内に第２袋部３０を収納した状態とする。つまり、被覆部８９を第２袋部３０に被せた状態として、ファスナー部７０を閉じた状態とすることにより、図１、図２に示すような大型袋として使用することができる。
【００４２】
次に、手提げ袋Ａを小型袋として使用する場合には、次のような手順で、被覆布部６０と第２袋部３０の背面部３６により挟まれた空間内に第１袋部１０を収納した状態とする。
【００４３】
つまり、図１、図２や図７に示す状態から、スライダー９６をエレメント８４、９４に沿って摺動させて、ファスナー部７０を開状態とし、その後、被覆部８９を下側に回動させて、図８に示すように、被覆部８９が下側に向くようにする。図８の状態を裏側から見ると、図９に示す状態となる。なお、被覆部８９が下側を向く状態としたら、その後は、第１袋部１０を折り畳むので、手提げ袋Ａを図９に示す状態で平面部に置いてその後の作業をするのが好ましい。
【００４４】
次に、第１袋部１０の左右の両側を内側に折り畳んで、図１０に示す状態とし、その後、第１袋部１０の下側を内側に折り畳んで、図１１に示す状態とし、その後、第１袋部１０の上側を折り畳んで、図１２に示す状態とする。なお、折り畳む順序は、上記の方法には限られず任意である。
【００４５】
以上のように、第２袋部３０の下端部と、ファスナー構成部９０のエレメント９４に囲まれる範囲内に第１袋部１０を折り畳んだら、被覆部８９を第１袋部１０に被せて、ファスナー部７０を閉じる。つまり、ファスナー構成部９０のスライダー９６を箱体に接するように位置させておき、ファスナー構成部８０の蝶棒８６をスライダー９６の胴部９８と箱体に挿入し、その後、スライダー９６の引手１００を摺動させてファスナー部７０を閉じた状態とする。この場合、引手１０２は内側に収納されてしまうので、引手１００を使用することになる。以上のようにして、図３、図４に示すような小型袋の形状となるので、小型袋として使用することができる。
【００４６】
一方、小型袋から大型袋の状態にする場合には、上記と逆の方法により作業を行う。つまり、ファスナー部７０を開状態とし、被覆部８９を回動させて広げた後に、第１袋部１０を広げて、被覆部８９を第２袋部３０に被せてファスナー部７０を閉状態とする。この場合に、ファスナー部７０を閉状態とするには、引手１００は内側に収納されてしますので、スライダー９６の引手１０２を使用することになる。
【００４７】
以上のように、大型袋と小型袋の２つの大きさの袋を提供でき、特に、第１袋部１０を折り畳んだ状態でも、小型袋の状態とすることができ、よって、大型の袋として使用する状態と、袋を折り畳んだ状態以外の他の状態（つまり、小型袋の状態）を提供でき、被収納物が小さい場合にも十分対応することができる。
【００４８】
なお、上記の説明では、被覆部８９は、第１袋部１０と第２袋部３０の間の位置で、第２袋部３０の背面部３６の下端位置に取り付けられていて、ファスナー部７０が閉じた状態からファスナー部７０を開状態として１８０度回動させた場合には、被覆部８９は下側に垂れ下がった状態となるが、この被覆部８９を、第１袋部１０と第２袋部３０の間の位置で、第２袋部３０の背面部３６の上端位置に取り付け、ファスナー部７０が閉じた状態からファスナー部７０を開状態として１８０度回動させた場合には、被覆部８９が上側を向くようにしてもよい。なお、この場合には、ファスナー構成部９０はＵ字状を呈し、ファスナー部７０を閉じた状態では、２つのファスナー構成部８０、９０におけるエレメントは、横方向を向いた下辺と、縦方向を向いた一対の側辺の３方に設けられることになる。
【００４９】
また、被覆部８９が上下方向に回動する場合だけでなく、被覆部８９が左右方向に回動するようにしてもよい。すなわち、被覆部８９を第２袋部本体３２の背面部３６の左右の両側の辺部のいずれかに沿って固定し（これにより、固定部分は縦方向を向いていることになる）、被覆部８９が縦方向の回動中心を中心に回動して、左右方向に回動するようにしてもよい。この場合にも、当然ファスナー部を構成する被覆部８９側のエレメントは、固定部分以外の辺部に沿って設けられ、第１袋部本体１２側のエレメントも被覆部８９側のエレメントに対応して設けられることになる。
【図面の簡単な説明】
【００５０】
【図１】本考案の実施例に基づく手提げ袋の前方斜視図で、手提げ袋を大型袋として使用する場合を示す前方斜視図である。
【図２】本考案の実施例に基づく手提げ袋の後方斜視図で、手提げ袋を大型袋として使用する場合を示す後方斜視図である。
【図３】本考案の実施例に基づく手提げ袋の後方斜視図で、手提げ袋を小型袋として使用する場合を示す後方斜視図である。
【図４】本考案の実施例に基づく手提げ袋の前方斜視図で、手提げ袋を小型袋として使用する場合を示す前方斜視図である。
【図５】本考案の実施例に基づく手提げ袋の前方斜視図で、ファスナーを開状態として、被覆部を下側に広げた状態を示す前方斜視図である。
【図６】本考案の実施例に基づく手提げ袋の分解斜視図である。
【図７】本考案の実施例に基づく手提げ袋の第２袋部側を上にして置いた状態の平面図である。
【図８】図７の状態からファスナーを開状態として被覆部を回動させて広げた状態を示す平面図である。
【図９】図８の状態の手提げ袋を第２袋部側を下にして置いた状態の平面図である。
【図１０】図９の状態から第１袋部の左右の両側を折り畳んだ状態を示す平面図である。
【図１１】図１０の状態から第１袋部の下側を折り畳んだ状態を示す平面図である。
【図１２】図１１の状態から第１袋部の上側を折り畳んだ状態を示す平面図である。
【符号の説明】
【００５１】
Ａ  手提げ袋
１０  第１袋部
１２  第１袋部本体
１４  第１側面部
１６  第２側面部
１８、４２  底面部
２０、２２、５０、５２  手提げ部
３０  第２袋部
３２  第２袋部本体
３４  正面部
３６  背面部
３８、４０  側面部
６０  被覆布部
６２  第１被覆布部
６４  第２被覆布部
７０  ファスナー部
８０、９０  ファスナー構成部
８２、９２  ファスナーテープ
８４、９４  エレメント
８６  蝶棒
８９  被覆部
９６  スライダー
９８  胴部
１００、１０２  引手
【図１】
0003117150.tif 000003
【図２】
0003117150.tif 000004
【図３】
0003117150.tif 000005
【図４】
0003117150.tif 000006
【図５】
0003117150.tif 000007
【図６】
0003117150.tif 000008
【図７】
0003117150.tif 000009
【図８】
0003117150.tif 000010
【図９】
0003117150.tif 000011
【図１０】
0003117150.tif 000012
【図１１】
0003117150.tif 000013
【図１２】
0003117150.tif 000014